(57)【要約】【課題】簡単な構造で、配線カバーの内側の小さいスペース内で、床内から床配線を配線カバー内に引き出すことができる床配線引出し補助具を提供する。【解決手段】建築物の床内に設けられ配線５２が通されている床埋込ボックス５４の開口部に取り付けられる本体２２と、本体２２に形成された挿通孔２４と、挿通孔２４に揺動可能に取り付けられた開閉部材３４とを備える。開閉部材３４には、配線６２を通す挿通部３９と、挿通孔２４を閉鎖する閉鎖板３６を有する。挿通孔２４に開閉部材３４の挿通部３９が位置しているときは床埋込ボックス５４内の床配線５２を床上に引き出すことが可能となり、挿通孔２４に開閉部材３４の閉鎖板３６が位置しているときは、挿通孔２４を閉鎖する。【選択図】　　　　図１
2004032931.tif 000002
【特許請求の範囲】
【請求項１】
建築物の床内に設けられ配線が通されている床埋込ボックスの開口部に取り付けられる本体と、上記本体に形成された挿通孔と、上記挿通孔に揺動可能に取り付けられた開閉部材とが設けられ、上記開閉部材には、上記配線を通す挿通部と上記挿通孔を閉鎖する閉鎖部が設けられ、上記挿通孔に上記開閉部材の上記挿通部が位置しているときは上記床埋込ボックス内の床配線を床上に引き出すことが可能となり、上記挿通孔に上記開閉部材の上記閉鎖部が位置しているときは、上記挿通孔を閉鎖することを特徴とする床配線引出し補助具。
【請求項２】
上記開閉部材の上記閉鎖部は、上記本体の上記挿通孔にわずかなゆとりを有して嵌合される閉鎖板であり、上記閉鎖板の両脇には扇形の側面が上記閉鎖板に対して所定角度に折り曲げられて設けられ、上記閉鎖板と上記一対の側面に囲まれた空間が上記挿通部であり、上記開閉部材は、上記一対の側面の扇形に狭められた端部が、上記閉鎖板に対して略平行な軸部材により上記本体に軸止されていることを特徴とする請求項１記載の床配線引出し補助具。
【請求項３】
上記本体の床に露出する表面には、上記挿通孔から任意の位置まで、上記挿通孔から引き出された床配線を覆う配線カバーが設けられ、上記挿通孔に取り付けられた上記開閉部材は上記配線カバーの内側で揺動可能であることを特徴とする請求項１記載の床配線引出し補助具。
【請求項４】
上記開閉部材と上記本体には、上記開閉部材の揺動を所定位置で係止する係止手段が設けられていることを特徴とする請求項１記載の床配線引き出し補助具。
【発明の詳細な説明】
【０００１】
【発明の属する技術分野】
この発明は、床埋込ボックス内に通された配線を、床上に引き出す床配線引出し補助具に関する。
【０００２】
【従来の技術】
従来、電力用テーブルや電話用ケーブル、ＬＡＮケーブル等、床面の下に設けられた床配線は、図４に示すように、床表面に配線引き出しカバー１を設けて床上に引き出されている。
【０００３】
ここでまず、床の構造について説明をする。床のコンクリート打設部２には、ほぼ水平に埋込電線管３が埋設され、電力用、通信用等の床配線４が埋込電線管３内に挿通されている。そしてコンクリート打設部２には、床埋込ボックス５がコンクリート打設部２の表面２ａに開口して埋設されている。床埋込ボックス５は、底面５ａと、底面５ａを囲む側面５ｂを有する箱体であり、側面５ｂには埋込電線管３が貫通し、床埋込ボックス５の内側と埋込電線管３の内側が連通されている。
【０００４】
床埋込ボックス５の上端部５ｃには、フロアベース６が設けられている。フロアベース６は、床埋込ボックスの５の上端面５ｃに当接し底面５ａに対して平行な環状の取付部６ａが設けられ、取付部６ａの内側に連続し取付部６ａに対してほぼ直角に立ち上がる立上部６ｂが筒状に設けられている。立上部６ｂの内側には筒状の高低調節リング７が螺合され、高低調節リング７の内側には、水平調整リング８が設けられている。水平調整リング８の内周面には雌ねじが形成され、フロアプレート９が水平調整リング８に取り付けられている。フロアプレート９は、水平調整リング８に螺合される雄ねじが形成された筒状の取付部１０と、取付部１０に対してほぼ直角に位置する板体１１が一体に設けられている。そして板体１１の中央には、挿通孔１２が形成され、挿通孔１２の内周面には、図示しない蓋部材を受ける受け部１３が一周して形成されている。そして、コンクリート打設部２の表面２ａには、フロアプレート９の板体１１の下端面とほぼ同じ高さにモルタル部１４が設けられている。そしてモルタル部１４の表面１４ａには、タイル材１５が敷き詰められて床が仕上げられている。
【０００５】
フロアプレート９の板体１１の表面には、板体１１の挿通孔１２を覆う配線引き出しカバー１が設けられている。配線引き出しカバー１は、挿通孔１２を覆うドーム形の本体１７を有し、本体１７の一部に、側方へ延出する筒状の引出口１８が一体に形成されている。
【０００６】
埋込電線管３から床埋込ボックス５の内側に引き出された床配線４は、フロアプレート９の板体１１に設けられた挿通孔１２を通過して配線引き出しカバー１の内側に入り、配線引き出しカバー１の引出口１８を通過して床表面であるタイル材１５上に引き出される。そしてタイル材１５には、引出口１８に近接させて配線カバー１９が目的の方向へ向けて両面テープ等で設けられ、配線カバー１９内に床配線４を挿通させて床面上を這わせている。
【０００７】
【発明が解決しようとする課題】
上記従来の技術の場合、配線引き出しカバー１は、床面からの突出高さが配線カバー１９よりもかなり高く、通行やものを置くときの障害物となっていた。また配線引き出しカバー１は、蹴飛ばし等による衝撃や位置ずれで内部の配線をいためることを防ぐため、高い取付強度が要求される。従って、配線引き出しカバー１の本体１７や引出口１８には一定の強度を持たせなければならず、コストがかかるものであった。また配線引き出しカバー１は、比較的大きく目に付きやすいので、外観に美しさが求められ、この点からもコストアップの要因になっていた。
【０００８】
この発明は、上記従来の問題点に鑑みてなされたものであり、簡単な構造で、配線カバーの内側の小さいスペース内で、床内から床配線を配線カバー内に引き出すことができる床配線引出し補助具を提供することを目的とする。
【０００９】
【課題を解決するための手段】
この発明は、建築物の床内に設けられ配線が通されている床埋込ボックスの開口部に取り付けられる本体と、上記本体に形成された挿通孔と、上記挿通孔に揺動可能に取り付けられた開閉部材が設けられている床配線引出し補助具である。上記開閉部材には、上記配線を通す挿通部と上記挿通孔を閉鎖する閉鎖部が設けられ、上記挿通孔に上記開閉部材の上記挿通部が位置しているときは上記床埋込ボックス内の床配線を床上に引き出すことが可能となり、上記挿通孔に上記開閉部材の上記閉鎖部が位置しているときは、上記挿通孔を閉鎖する床配線引出し補助具である。
【００１０】
また、上記開閉部材の上記閉鎖部は、上記本体の上記挿通孔にわずかなゆとりを有して嵌合される閉鎖板であり、上記閉鎖板の両脇には扇形の側面が上記閉鎖板に対して所定角度に折り曲げられて設けられ、上記閉鎖板と上記一対の側面に囲まれた空間が上記挿通部であり、上記開閉部材は、上記一対の側面の扇形に狭められた端部が、上記閉鎖板に対して略平行な軸部材により上記本体に軸止されている。
【００１１】
上記本体の床に露出する表面には、上記挿通孔から任意の位置まで、上記挿通孔から引き出された床配線を覆う配線カバーが設けられ、上記挿通孔に取り付けられた上記開閉部材は、上記配線カバーの内側で揺動可能である。そして、上記開閉部材と上記本体には、上記開閉部材の揺動を所定位置で係止する係止手段が設けられている。この係止手段は、例えば上記開閉部材に形成され、上記本体側へ突出する係合突部である。
【００１２】
この発明の床配線引出し補助具は、上記床埋込ボックス内の床配線を床上に引き出す際には、上記開閉部材を開いて上記挿通部に配線を通し、配線を引き出さない場合は、上記本体の挿通孔に上記開閉部材の上記閉鎖部を位置させ、床面を平坦にして床埋込ボックスを閉鎖する。
【００１３】
【発明の実施の形態】
以下、この発明の実施形態について図面に基づいて説明する。図１〜図３はこの発明の一実施形態を示すもので、この実施形態の床配線引出し補助具２０は、アルミ、真鍮等の金属製等の円板状の本体２２が設けられている。本体２２の中央には、半径方向に長い矩形の挿通孔２４が形成されている。挿通孔２４の長手方向に沿う一対の側縁部２４ａ，２４ｂには、挿通孔２４の長手方向の一方の端部２４ｃ寄りの位置に、本体２２の裏面２２ａ側に突出する一対の軸受け部２６が設けられている。一対の軸受け部２６は、互いに平行に位置し、互いに対面して連通する方向に透孔２８が各々形成されている。また、挿通孔２４の、長手方向の他方の端部２４ｄには、挿通孔２４の内側に突出する突部３０が設けられ、突部３０の基端部は、わずかに本体２２の裏面２２ａ側へＬ字形に折り曲げられて、突部３０は本体２２よりも裏面２２ａ側に位置し、本体２２の表面に対して平行に位置している。本体２２には、挿通孔２４の両側部に、取付用の透孔３２が各々形成されている。
【００１４】
本体２２の挿通孔２４の内側には、別体の開閉部材３４が設けられている。開閉部材３４は、一枚の金属板をコの字形に折り曲げて設けられている。開閉部材３４のコ字形の底部は、挿通孔２４を閉鎖する閉鎖部である矩形の閉鎖板３６であり、本体２２の挿通孔２４に、わずかな隙間を有して嵌合される大きさに形成されている。閉鎖板３６の長手方向に対して平行な両側縁部には側面３８が各々形成され、側面３８は扇形に形成され閉鎖板３６に対してほぼ直角に位置している。閉鎖板３６と一対の側面３８で囲まれた空間は、後述する配線６２が挿通される挿通部３９となる。側面３８の外側面には、扇形に広がった端部３８ａの少し内側に、本体２２との係止手段である係合突部４０，４２が、端部３８ａに対してほぼ平行に並べられて設けられている。側面３８の、扇状の狭められた方の端部３８ｂの少し内側には、本体２２の一対の透孔２８に連通する透孔４４が各々形成されている。そして開閉部材３４は、一対の側面３８の透孔４４と、本体２２の軸受け部２６の透孔２８が連通され、軸部材４６が挿通されて軸止されている。
【００１５】
ここで、開閉部材３４の側面３８に設けられている突起４０，４２は、本体２２の挿通孔２４の、一対の側縁部２４ａ，２４ｂの間隔よりも外側に位置している。開閉部材３４は、その閉鎖板３６が本体２２と面一になったときは、閉鎖板３６に近い突起４０が、側縁部２４ａ，２４ｂに対して本体２２の裏面２２側から当接し、閉鎖板３６が不用意に開かないように係止する。また、開閉部材３４が揺動して、閉鎖板３６と側面３８の端部３８ａの一部が本体２２よりも上に位置するときは、閉鎖板３６から遠い突起４２が、側縁部２４ａ，２４ｂに本体２２の表面２２ｂ側で当接し、閉鎖板３６が自然に閉まらないように係止する。なお、開閉部材３４はわずかに弾性変形するため、突起４０，４２が本体２２に係止されていても、強い力を加えると係合がはずれ、開閉部材３４は揺動可能な状態となる。
【００１６】
次に、この実施形態の床配線引出し補助具２０の製造方法について、図３に基づいて説明する。まず、本体２２を形成する金属板から本体２２を打ち抜いて形成し、同時にまたはその後、本体２２に挿通孔２４、透孔３２を形成する。このとき挿通孔２４の内周面に、一対の軸受け部２６と、突部３０を形成する。次に、軸受け部２６を本体２２に対してほぼ直角に裏面２２ａ側に折り曲げる。また、突部３０はたたき出して裏面２２ａ寄りにＬ字形に折り曲げて形成する。次に、別の金属板から開閉部材３４を打ち抜き、コの字形に折り曲げて形成する。開閉部材３４の側面３８に設けられた係合突起４０，４２は、たたき出しにより形成する。このように形成された開閉部材３４を、挿通孔２４の内側に入れ、挿通孔２４に設けられた軸受け部２６の透孔４４と、開閉部材３４の側面３８に設けられた透孔４４を一致させ、軸部材４６を挿通して軸止する。
【００１７】
次に、床配線引出し補助具２０の使用方法について説明する。まず、床の構造は、図１に示すように、コンクリート打設部４８には、埋込電線管５０がほぼ水平に埋設され、電力用、通信用等の複数本の床配線５２が挿通されている。そしてコンクリート打設部４８には、床埋込ボックス５４がコンクリート打設部４８表面４８ａに開口して埋設されている。床埋込ボックス５４は、底面５４ａと、底面５４ａを囲む側面５４ｂを有する箱体であり、側面５４ｂには埋込電線管５０が貫通し、床埋込ボックス５４の内側と埋込電線管５０内側が連通している。
【００１８】
床埋込ボックス５４の上端部５４ｃには、フロアベース５６が設けられている。フロアベース５６は、床埋込ボックス５４の上端面５４ｃに当接し底面５４ａに対して平行な環状の取付部５６ａが設けられ、そして取付部５６ａの内側に連続し取付部５６ａに対してほぼ直角に立ち上がる立上部５６ｂと、立上部５６ｂの先端に連続し床埋込ボックス５４の底面５４ａに対して平行な取付部５６ｃが設けられている。取付部５６ｃには、図示しない位置に雌ねじ孔が２箇所に形成されている。そして、フロアベース５６の取付部５６ｃとほぼ同じ高さに、コンクリート打設部４８の表面４８ａにモルタル部５８が設けられている。
【００１９】
フロアベース５６の取付部５６ｃには、床配線引出し補助具２０が取付られている。床配線引出し補助具２０は、その２個の透孔３２を取付部５６ｃの２個の雌ねじに一致させ、図示しないねじを挿通、螺合させて床配線引出し補助具２０を固定する。モルタル部５８の表面５８ａには、タイル材６０が敷き詰められて床が仕上げられている。床配線引出し補助具２０の本体２２と、タイル材６０は面一となり、段差がない。
【００２０】
床配線引出し補助具２０の本体２２と本体に連続するタイル材６０には、電話機等の目的の方向へ向けて配線カバー６２が両面テープ等で設けられている。開閉部材３４は、配線カバー６２内での揺動に支障がない揺動高さを有している。また、配線カバー６２は、タイル材１５表面に両面テープ等で接着される薄形の床取付部材６４と、床取付部材６４に弾性的に着脱されるカバー部材６６から成る。床取付部材６４は、床配線引出し補助具２０のわずかに外側のタイル材６０に設けられ、カバー部材６６は、床取付部材６４よりも長く形成され、床配線引出し補助具２０の挿通孔２４を覆っている。
【００２１】
そして、埋込電線管５０に挿通され床埋込ボックス５４に引き出された床配線５２は、例えば床埋込ボックス５４内で床上の配線６２の基端部と接続される。このとき、開閉部材３４は、閉鎖板３６が本体２２の上方に上げられ、係合突部４２が本体２２に係止された挿通状態に設定する。配線６２の先端部は、床配線引出し補助具２０の挿通孔２４を通って、開閉部材３４の挿通部３９から床埋込ボックス５４の外側に引き出される。そして、開閉部材３４を覆う配線カバー６２に挿通され、電話機等の目的の電子機器に接続される。
【００２２】
また床配線引出し補助具２０は、配線を引き出さない場合、開閉部材３４を軸部材４６中心に揺動させ、開閉部材３４の閉鎖板３６を本体２２に対して平行であり係合突起４０が本体２２に係止された閉鎖状態とし、タイル材５８や本体２２と面一にする。
【００２３】
この実施形態の床配線引出し補助具２０は、床のタイル材６０の表面に対して面一で平坦に取り付けられ、配線カバー６２の内側で床埋込ボックス５４から配線６２を床下から引き出すことができる。床上に配線引き出しカバー等の大きな突起物がなく、配線カバー６２以外の障害物がなく使用上の障害が少なく安全である。また、コストがかかる配線引き出しカバー等の設備が不要であり、配線コストを大きく削減することができる。そして床配線引出し補助具２０の開閉部材３４は配線カバー６２により保護されているため、強度や外観上の美観が要求されず、この点からもコストを削減することができる。さらに、外観的には、配線カバー６２しか見えないため、すっきりとした状態となる。このとき使用される床埋込ボックス５４は既存のものであり、既存の建物に使用されている床埋込ボックス５４にも利用することができ、後付けによる配線に際しても利用可能である。
【００２４】
なお、この発明の床配線引出し補助具は、上記実施の形態に限定されるものではなく、素材は金属以外に樹脂製でも良く、各部材の形状等も自由に変更可能である。また、床の構造は自由に変更可能であり、床の仕上げは、タイル材以外にカーペット等でもよい。また、開閉部材の側面に形成されている係合突部は、逆に凹部でも良く、本体にこの凹部に係止される係合突部が形成されても良く、係止手段は問わない。
【００２５】
【発明の効果】
この発明の床配線引出し補助具は、床埋込ボックスに取り付けられ、床に取り付けた配線カバーの内側に床埋込ボックスからの配線を引き出すことができ、床に配線引き出し部の突起をなくし、床面を平坦にすることができる。そして専用の配線引き出しカバー等の設備が不用で、配線コストを大幅に削減することができる。
【図面の簡単な説明】
【図１】この発明の一実施形態の床配線引出し補助具の使用状態を示す縦断面図である。
【図２】この実施形態の床配線引出し補助具の使用状態を示す斜視図である。
【図３】この実施形態の床配線引出し補助具の製造工程を示す斜視図である。
【図４】従来の技術の配線引き出しカバーの使用状態を示す縦断面図である。
【符号の説明】
２０　床配線引出し補助具
２２　本体
２４　挿通孔
２８，３２，４４　透孔
２６　軸受け部
３０　突部
３４　開閉部材
３６　閉鎖板
３８　側面
３９　挿通部
４０，４２　係合突部
４６　軸部材
５２　床配線
５４　床埋込ボックス
６２　配線
【図１】
2004032931.tif 000003
【図２】
2004032931.tif 000004
【図３】
2004032931.tif 000005
【図４】
2004032931.tif 000006